(57)【要約】【課題】受信機における適切な音量調整が可能な回路構成を提供すること。【解決手段】本発明の音量調整回路は、スケルチ機能を備えた受信機において、受信機の電源がオンされたことを検出する電源検出部と、所定の低周波信号を発生する低周波信号発生部とを備え、さらに、電源検出部が受信機の電源がオンされたことを検出したときには、第１の設定時間の間、スケルチスイッチ部をスケルチクローズ状態とするとともに、低周波信号発生部にて発生した低周波信号を音量調整部に入力する制御部を備えた。【選択図】      図１
2008252653.tif 000002
【特許請求の範囲】
【請求項１】
受信信号中のノイズ成分のノイズレベルが所定のしきい値未満であればスケルチオープンと判断し、前記受信信号中のノイズ成分のノイズレベルが前記しきい値以上であればスケルチクローズと判断する制御部と、前記制御部がスケルチクローズと判断した場合、スケルチクローズして受信信号を遮断し、前記制御部がスケルチオープンと判断した場合、スケルチオープンして受信信号を通過させるスケルチスイッチ部と、該スケルチスイッチ部を通過した受信信号を、音量設定部を操作して設定された所望の音量で出力し得る音量調整部と、を備えた受信機の音量調整回路であって、
当該受信機の電源がオンされたことを検出する電源検出部と、
所定の低周波信号を発生する低周波信号発生部と、を備え、
さらに、前記制御部は、
前記電源検出部が当該受信機の電源がオンされたことを検出したときには、第１の設定時間の間、
受信信号中のノイズ成分のノイズレベルに関わることなく、
スケルチスイッチ部をスケルチクローズ状態とするとともに、前記低周波信号発生部にて発生した低周波信号を前記音量調整部に入力するように構成したことを特徴とする音量調整回路。
【請求項２】
前記音量調整部は、
前記音量設定部において音量を変化させるための操作の有無を検出する操作検出部を備え、
前記制御部は、
前記第１の設定時間が終了する前の第２の設定時間の間に、前記操作検出部が前記音量設定部において音量を変化させるための操作が有ったことを検出すると、受信信号中のノイズ成分のノイズレベルに関わることなく、
スケルチスイッチ部をスケルチクローズ状態とするとともに、前記第１の設定時間が終了した後の所定の延長時間の間、前記低周波信号発生部にて発生した低周波信号を継続して前記音量調整部に入力させることを特徴とする請求項１に記載の音量調整回路。
【請求項３】
前記音量設定部には、
受信機の電源をオンオフ制御する電源スイッチが一体に具備されていることを特徴とする請求項１または２の何れか１項に記載の音量調整回路。
【発明の詳細な説明】
【技術分野】
【０００１】
本発明は、受信機、特にスケルチ機能を備えた受信機で採用される音量調整回路に関するものである。
【背景技術】
【０００２】
図４を参考にして、従来の音量調整回路が採用されたＦＭ受信機について説明する。
この種のＦＭ受信機１００では、受信された音声信号はスケルチスイッチ部１１０を介して可変抵抗部１２０に入力される。この可変抵抗部１２０は、ツマミ１２１を回すことで抵抗値を制御するものであり、受信した音声信号が増幅部１３０で増幅されてスピーカ１４０から出力される際の音量を所望の音量に設定することができるように構成されている。
増幅部１３０は、前記可変抵抗部１２０で設定された抵抗値に基づいて、音声信号を増幅してスピーカ１４０から音声出力するものである。
【０００３】
低周波信号発生部１５０は、例えば特定のキーを押したときや、それぞれのキーが押されたときなどに、それらの操作の有無を確認する意味でビープ音を発生させて、前記増幅部１３０にて増幅して前記スピーカ１４０から音声出力するように構成されている。前記低周波信号発生部１５０から出力される低周波信号は、前記可変抵抗部１２０ではなく、前記可変抵抗部１２０の後段の増幅部１３０に入力される構成となっているので、前記可変抵抗部１２０を操作しても前記ビープ音の音量は調整されない。
【０００４】
前記ＦＭ受信機１００は、前記スケルチスイッチ部１１０を備えており、受信信号中のノイズレベルが設定されたしきい値以上であれば、スケルチスイッチ部１１０をスケルチクローズ状態として、受信信号が可変抵抗部１２０に入力されることを遮断するように構成され、受信信号中のノイズレベルが前記しきい値未満であれば、スケルチスイッチ部１１０をスケルチオープン状態として、受信信号が可変抵抗部１２０に入力されるように構成されている。
また、特開平５−４８４７５号（特許文献１）の公報には、スケルチクローズであっても、音量調整を行うと、一定時間スピーカから音声を出力させる音量調整技術が開示されている。
【０００５】
【特許文献１】特開平５−４８４７５号
【発明の開示】
【発明が解決しようとする課題】
【０００６】
前述したような従来のＦＭ受信機１００で音量調整を行う場合には、受信信号をスピーカ１４０から出力させながら、前記可変抵抗部１２０のツマミ１２１を回して、好みの音量に調整することが行われている。
しかしながら、スケルチスイッチ部１１０がスケルチクローズ状態となっているときには、スピーカ１４０から音声が出力されないので、音量を確認できず、所望の音量に調整することができない。
とくに当該ＦＭ受信機１００の電源をオンした直後に、設定されている受信周波数が希望する放送局、無線局などの周波数と一致していないと、スケルチスイッチ部１１０がスケルチクローズ状態となってしまい、スピーカ１４０から音声が出力されない場合があり、音量調整を行うことができないという問題がある。
そこで、現状では、ＦＭ受信機１００の電源をオンした直後に音量を設定するには、可変抵抗部１２０のツマミ１２１の回転量を覚えておく方法や、スピーカ１４０から出力される音量が最大となるように可変抵抗部１２０を設定し、スケルチオープン状態となるように受信周波数を変更して信号を受信する状態にした後、スピーカ１４０から音声を出力しながら、可変抵抗部１２０で音量を調整する方法が実行されている。
しかし、前者の方法では、ツマミの回転量を覚えておくことは煩雑であり、後者の方法では、スケルチオープン状態となるような受信周波数を発見するのに時間を要する場合があるという問題がある。
【０００７】
また、特開平５−４８４７５号の公報に開示された技術では、音声調整の基準となる音声の大きさが状況に応じて変化するので一定ではなく、音量調整がしづらいといった不具合がある。
【０００８】
そこで、本発明は、受信機における適切な音量調整が可能な回路構成を提供することを目的としてなされたものである。
【課題を解決するための手段】
【０００９】
本発明にかかる請求項１の音量調整回路においては、
受信信号中のノイズ成分のノイズレベルが所定のしきい値未満であればスケルチオープンと判断し、前記受信信号中のノイズ成分のノイズレベルが前記しきい値以上であればスケルチクローズと判断する制御部と、前記制御部がスケルチクローズと判断した場合、スケルチクローズして受信信号を遮断し、前記制御部がスケルチオープンと判断した場合、スケルチオープンして受信信号を通過させるスケルチスイッチ部と、該スケルチスイッチ部を通過した受信信号を、音量設定部を操作して設定された所望の音量で出力し得る音量調整部と、を備えた受信機の音量調整回路であって、
当該受信機の電源がオンされたことを検出する電源検出部と、
所定の低周波信号を発生する低周波信号発生部と、を備え、
さらに、前記制御部は、
前記電源検出部が当該受信機の電源がオンされたことを検出したときには、第１の設定時間の間、
受信信号中のノイズ成分のノイズレベルに関わることなく、
スケルチスイッチ部をスケルチクローズ状態とするとともに、前記低周波信号発生部にて発生した低周波信号を前記音量調整部に入力するように構成した。
請求項２では、
前記音量調整部は、
前記音量設定部において音量を変化させるための操作の有無を検出する操作検出部を備え、
前記制御部は、
前記第１の設定時間が終了する前の第２の設定時間の間に、前記操作検出部が前記音量設定部において音量を変化させるための操作が有ったことを検出すると、受信信号中のノイズ成分のノイズレベルに関わることなく、
スケルチスイッチ部をスケルチクローズ状態とするとともに、前記第１の設定時間が終了した後の所定の延長時間の間、前記低周波信号発生部にて発生した低周波信号を継続して前記音量調整部に入力させるように構成した。
請求項３では、
前記音量設定部には、
受信機の電源をオンオフ制御する電源スイッチが一体に具備されている構成とした。
【発明の効果】
【００１０】
請求項１の発明では、
受信機の電源がオンされたことを検出する電源検出部と、所定の低周波信号を発生する低周波信号発生部とを備え、
さらに、前記電源検出部が当該受信機の電源がオンされたことを検出したときには、第１の設定時間の間、受信信号中のノイズ成分のノイズレベルに関わることなく、前記スケルチスイッチ部をスケルチクローズ状態とするとともに、前記低周波信号発生部にて発生した低周波信号を前記音量調整部に入力する制御部を備えたので、電源オンの直後に受信信号が無くても、また、受信信号のレベルが一定でなくても、前記発生させた低周波信号を聞きながら適正な音量調整ができる。
請求項２の発明では、
前記音量調整部は、音量設定部において音量を変化させるための操作の有無を検出する操作検出部を備え、
前記制御部は、
前記第１の設定時間が終了する前の第２の設定時間の間に、前記操作検出部が前記音量設定部において音量を変化させるための操作が有ったことを検出すると、受信信号中のノイズ成分のノイズレベルに関わることなく、スケルチスイッチ部をスケルチクローズ状態とするとともに、前記第１の設定時間が終了した後の所定の延長時間の間、前記低周波信号発生部にて発生した低周波信号を継続して前記音量調整部に入力させるように構成したので、音量調整作業を継続していれば、第１の設定時間が経過した後であっても継続して前記発生させた低周波信号を聞きながら適正な音量調整ができる。
請求項３の発明では、
前記音量設定部には、
受信機の電源をオンオフ制御する電源スイッチが一体に具備されているので、スペース効率が良く、また、電源のオンオフ操作と音量調整とを効率よく行うことができる。
【発明を実施するための最良の形態】
【００１１】
以下に、本発明にかかる音量調整回路を、その実施の形態を示した図面に基づいて詳細に説明する。
【実施例１】
【００１２】
図１に示すように、本発明にかかる音量調整回路は、例えばＦＭ受信機などの受信機１で採用されるものであり、受信部２で受信された受信信号は、スケルチスイッチ部３を介して可変抵抗部４の可変抵抗器４１に入力される。
前記スケルチスイッチ部３の開閉制御は、ＣＰＵを含んだ制御部５によって行われる。
【００１３】
前記制御部５は、受信した信号中のノイズ成分からスケルチオープンするか、スケルチクローズするかを判断する。前記制御部５は、受信した信号中のノイズ成分のノイズレベルが所定のしきい値以上であれば、スケルチスイッチ部３をスケルチクローズ状態にするために、前記スケルチスイッチ部３に開信号を出力し、受信した信号中のノイズ成分のノイズレベルが前記しきい値未満であれば、スケルチオープン状態にするために、前記スケルチスイッチ部に閉信号を出力する。なお、前記しきい値は変更することができる。
【００１４】
前記スケルチスイッチ部３は、前記制御部５から前記開信号が入力されるとスケルチクローズ状態となって、受信信号を遮断して通過させず増幅部６には入力しない。そして、前記制御部５から前記閉信号が入力されるとスケルチオープン状態となって、受信信号を通過させて増幅部６に入力する。
【００１５】
可変抵抗部４は、ツマミを回すことで抵抗値を制御することのできるものであり、例えば回転軸にツマミ４１１が装着された可変抵抗器４１を備えている。この可変抵抗部４は、受信信号がスピーカ７から出力される際の音量を所望の音量に設定するためのものである。
本実施例では、可変抵抗部４として、図３に示すようなオンオフスイッチ付き可変抵抗器４１Ｂが用いられている。このようなオンオフスイッチ付き可変抵抗器４１Ｂは、ツマミ４１１Ｂの表面に表示された矢印などのマーク４１２Ｂが、パネルに表示された「ＯＦＦ」の位置４１３Ｂと一致するようにツマミ４１１Ｂを回転させることで電源スイッチ９２がオフとなって電源をオフし、前記マーク４１２Ｂが、パネルに表示された「ＯＮ」の位置４１４Ｂの領域と一致するようにツマミ４１１Ｂを回転させることで電源スイッチ９２がオンとなって電源をオンすることができるように構成されている。
【００１６】
操作検出部４２は、設定された所定の第２の設定時間の間の可変抵抗部４の抵抗値の変化の有無を検出するものであり、変化が有ったことを検出すると検出信号を前記制御部５に出力する。
【００１７】
増幅部６は、前記可変抵抗部４で設定された抵抗値に基づいた音量に、受信信号を増幅して前記スピーカ７から出力するように構成されている。
【００１８】
低周波信号発生部８は、例えばビープ音、アラーム音などの低周波信号を発生させて、調整用低周波信号スイッチ８１と操作確認用低周波信号スイッチ８２とに入力する。
前記調整用低周波信号スイッチ８１は、前記制御部５によってオンオフが制御されるものであり、前記低周波信号発生部８にて発生させたビープ音、アラーム音などの低周波信号を、前記可変抵抗部４へ出力するか否かを制御するように構成され、電源をオンした後の音量調整に用いるために制御される。
前記操作確認用低周波信号スイッチ８２は、前記制御部５によってオンオフが制御されるものであり、前記低周波信号発生部８にて発生させたビープ音、アラーム音などの低周波信号を、前記前記増幅部６へ出力するか否かを制御するように構成されている。例えば特定のキーを押したときや、それぞれのキーが押されたときなどに、それらの操作の有無を確認するために用いることができる。
【００１９】
電源検出部９は、当該受信機の電源装置９１がオンされたことを検出したときに、電源オンの検出結果を前記制御部５へ出力する。
【００２０】
次に、図２を参照して、本発明に係る音量調整回路の動作について説明する。
当該受信機の電源がオンされると、電源検出部９は電源がオンされたことを検出して検知結果を前記制御部５に出力する（Ｓ１参照）。すると、前記制御部５は、第１の設定時間の間、電源がオンされてからの経過時間の計測を開始する（Ｓ２参照）。
また、前記制御部５は、前記電源検出部９から前記検知結果が入力されると、受信信号中のノイズ成分のノイズレベルに関わらず、前記第１の設定時間の間、スケルチスイッチ部３へ開信号を出力してスケルチクローズ状態にするように制御する（Ｓ３参照）。なお、前記第１の設定時間の長さは所望の長さに設定することができる。例えば、２秒、５秒、１０秒の何れかを選択して設定するようにしてもよい。
なお、前記第１の設定時間は、受信機のユーザが音量調整に要すると予測される時間に応じて設定することができる。
このようにして、前記第１の設定時間の間はスケルチクローズ状態となって、仮に受信信号を受信している場合でも受信信号は遮断する。
【００２１】
さらに、前記制御部５は、前記電源検出部９から前記検知結果が入力されると、前記低周波信号発生部８を制御してビープ音信号などの低周波信号を発生させ、前記調整用低周波信号スイッチ８１を制御して、前記低周波信号を前記可変抵抗部４に入力させる（Ｓ４参照）。このとき、スケルチクローズ状態であるので、仮に受信信号を受信している場合でも受信信号は遮断されており、前記低周波信号だけがスピーカから出力されるので、適切な音量調整が可能となる。
【００２２】
前記可変抵抗部４に入力された前記低周波信号は、前記可変抵抗部４の前記ツマミを回すことで制御される抵抗値に基づいた音量でスピーカ７から出力されるので、前記ツマミを所望の回転角度に調整することで、スピーカ７から出力される前記低周波信号を所望の音量に調整することができる。
【００２３】
前記制御部５は、前記第１の設定時間が終了する前の第２の設定時間（例えば、０．５秒、１秒、２秒など）を監視時間として、その第２の設定時間の間、前記操作検出部４２にてツマミの操作の有無を検出したか否かを監視する。（Ｓ５，Ｓ６参照）。
例えば、第１の設定時間を１０秒、第２の設定時間を１秒とした場合、電源がオンされてから９秒後（＝（第１の設定時間：１０秒）−（第２の設定時間：１秒））から、第２の設定時間である１秒間、ツマミの操作の有無を監視する。
そして、前記第２の設定時間の間に、検出信号が検出されると、音量調整作業が継続していると判断し、前記制御部５は、前記第１の設定時間が終了した後、受信信号中のノイズ成分のノイズレベルに関わることなく、所定の延長時間の間、継続してスケルチクローズ状態を維持し、調整用低周波信号スイッチ８１をオンにし、低周波信号発生部８から可変抵抗部４に前記低周波信号を入力する（Ｓ７参照）。
こうすることで、前記第１の設定時間が経過した後であってもスピーカ７から前記低周波信号が出力されるので、音量調整作業を続けることができる。
そして、前記延長時間の間に、ツマミが操作されたことを示す検出信号が、再度検出されると、前記制御部５は、前記延長時間の終了後、受信信号中のノイズ成分のノイズレベルに関わることなく、さらに前記延長時間の間、継続してスケルチクローズ状態を維持し、調整用低周波信号スイッチ８１をオンにし、低周波信号発生部８から可変抵抗部４に前記低周波信号を入力する（Ｓ７、Ｓ８参照）ことを繰り返し、直前の前記延長時間の間にツマミが操作されたことを示す検出信号が検出されなくなるまで、スピーカ７から前記低周波信号を出力し続ける。
【００２４】
前記延長時間の間に、前記検出信号が入力されないと、前記低周波信号による音量調整作業が継続していないと判断し、前記制御部５は前記調整用低周波信号スイッチ８１または前記低周波信号発生部８を制御して、前記低周波信号の出力を停止する（Ｓ８、Ｓ９，Ｓ１０参照）。こうすることで、スピーカ７からの低周波信号の出力は停止する。
このようにして、前記低周波信号の出力を停止した後、前記制御部５は、受信信号中のノイズ成分のノイズレベルが所定のしきい値以上であれば、前記スケルチスイッチ部３をスケルチクローズ状態に制御し、ノイズレベルが所定のしきい値未満であれば、前記スケルチスイッチ部３をスケルチオープン状態に制御する。
【００２５】
このようにして、当該受信機１の電源をオンした直後の第１の設定時間の間、ビープ音などの低周波信号をスピーカ７から出力するので、この低周波信号を聞きながらツマミを回転操作することで、所望の音量に調整することができる。
さらに、前記第１の設定時間が終了する前の第２の設定時間の間に、音量調整のためにツマミが操作されたことを検出すると、受信信号中のノイズ成分のノイズレベルに関わることなく、前記第１の設定時間が終了した後の所定の延長時間の間、さらに、ビープ音などの低周波信号をスピーカ７から出力するので、音量調整作業を継続できる。
さらに、前記第１の設定時間が終了した後であっても、前記延長時間が終了する前の第２の設定時間の間に、音量調整のためにツマミが操作されたことを検出すると、受信信号中のノイズ成分のノイズレベルに関わることなく、前記延長時間が終了した後、さらに所定の延長時間の間、さらに、ビープ音などの低周波信号をスピーカ７から出力するので、音量調整作業を継続できる。
延長時間の間に音量調整のためにツマミが操作されないと、音量調整作業が終了したと判断して、前記低周波信号の出力は停止するので、通常の受信状態に移行することができる。
【００２６】
なお、ツマミの操作の有無を監視する監視時間としての第２の設定時間と、前記延長時間とは同じ長さの時間でも良いが、前記延長時間が前記第２の設定時間（監視時間）以上であれば異なる長さの時間でもよい。
また、以上の実施例においては、可変抵抗部４には、電源スイッチ９２と一体化されたオンオフスイッチ付き可変抵抗器４１を用いたので、適当な音量が出力されるツマミの回転量を覚えておくことなく、電源をオンする度に音量調整をすることができる。
なお、本発明は、このようなオンオフスイッチ付き可変抵抗器に限定されるものではなく、電源スイッチと可変抵抗部とが分離された構成のものであっても、その特許請求の範囲に含んでいる。
また、前記調整用低周波信号スイッチ８１と操作確認用低周波信号スイッチ８２とは分離せずに一体化した構成でもよく、前記低周波信号発生部８に含まれる構成でもよい。
また、本発明の前記機能を使用しないユーザのために、前記機能を無効にする設定も可能として従来の受信機のような使い方も可能とすることができる。
【図面の簡単な説明】
【００２７】
【図１】本発明にかかる音量調整回路の実施の形態の構成を示した構成図である。
【図２】前記音量調整回路の動作を説明するフローチャートである。
【図３】前記音量調整回路に用いるツマミの一例を示す図である。
【図４】従来例のＦＭ受信機の構成図である。
【符号の説明】
【００２８】
１  受信機
２  受信部
３  スケルチスイッチ部
４  可変抵抗部
４１  可変抵抗器
４２  操作検出部
４１１  ツマミ
５  制御部
６  増幅部
７  スピーカ
８  低周波信号発生部
８１  調整用低周波信号スイッチ
８２  操作確認用低周波信号スイッチ
９  電源検出部
９１  電源装置
９２  電源スイッチ
【図１】
2008252653.tif 000003
【図２】
2008252653.tif 000004
【図３】
2008252653.tif 000005
【図４】
2008252653.tif 000006